(57)【要約】【課題】本願発明は、遊泳する熱帯魚等の観賞魚を観賞し生育させることができるとともに、癒しの空間や安らぎの空間を演出する照明器具としての電気スタンドを提供することを目的とする。【解決手段】ベースプレートから立設される支柱の上部にその両端に１対の水槽付照明器具を固着する横架梁の中心部を固着した電気スタンドとし、前記の水槽付照明器具を、上下方向に開口し、その中空部に下方を照らすランプを懸吊する筒状体と、当該筒状体の下部開口部に着脱自在に嵌着される観賞魚が遊泳可能な水槽とからなる構成とした。【選択図】図１
2007095404.tif 000002
【特許請求の範囲】
【請求項１】
上下方向に開口する筒状体の中空部に下方を照らすランプが懸吊され、
前記筒状体の下部開口部に観賞魚が遊泳可能な水槽の上部が着脱自在に嵌着されて該水槽は前記筒状体に懸吊されることを特徴とする水槽付照明器具。
【請求項２】
前記ランプは蛍光灯またはＬＥＤであることを特徴とする請求項１に記載の水槽付照明器具。
【請求項３】
前記水槽の上部の外周面が前記下部開口部の内周面に着脱自在に嵌着されることを特徴とする請求項１または請求項２に記載の水槽付照明器具。
【請求項４】
前記下部開口部および前記水槽の上部は平面視が円形であって、前記水槽の上部の外周面は所定の大きさの複数の突起部を備え、前記下部開口部の内周面には前記突起部に対応する位置に正面視が側面に開放部を有する複数のコの字状の突条部が凸設され、前記突起部が前記突条部の開放部から挿入されることによって前記下部開口部に前記水槽の上部が着脱自在に嵌着されることを特徴とする請求項３に記載の水槽付照明器具。
【請求項５】
前記下部開口部および前記水槽の上部は平面視が円形であって、前記水槽の上部の外周面は所定の大きさの複数の突起部を備え、前記下部開口部の内周面には前記突起部に対応する位置に正面視が垂直部と水平部からなる逆Ｌ字状の溝であって該垂直部が下方に向けて開放される複数の嵌合溝が刻設され、前記突起部が前記嵌合溝に嵌合することによって前記下部開口部に前記水槽の上部が着脱自在に嵌着されることを特徴とする請求項３に記載の水槽付照明器具。
【請求項６】
前記下部開口部および前記水槽の上部は平面視が円形であって、前記下部開口部の内周面は所定の大きさの複数の突起部を備え、前記水槽の上部の外周面には前記突起部に対応する位置に正面視が垂直部と水平部からなるＬ字状の溝であって該垂直部が上方に向けて開放される複数の嵌合溝が刻設され、前記突起部が前記嵌合溝に嵌合することによって前記下部開口部に前記水槽の上部が着脱自在に嵌着されることを特徴とする請求項３に記載の水槽付照明器具。
【請求項７】
前記下部開口部および前記水槽の上部は平面視が円形であって、前記下部開口部の内周面に螺刻された雌螺子に前記水槽の上部の外周面に螺刻された雄螺子が螺合することによって前記下部開口部に前記水槽の上部が着脱自在に嵌着されることを特徴とする請求項３に記載の水槽付照明器具。
【請求項８】
前記下部開口部には周方向に沿って複数本の止めボルトが略等間隔に前記下部開口部の中心に向かって螺入自在に取着され前記水槽の上部の外周面には溝部が刻設されて該止めボルトが前記下部開口部の内部に螺入してその先端が前記溝部に貫入することによって前記下部開口部に前記水槽の上部が着脱自在に嵌着されることを特徴とする請求項３に記載の水槽付照明器具。
【請求項９】
前記観賞魚はベタ・スプレンデンスであることを特徴とする請求項１ないし請求項８のいずれかに記載の水槽付照明器具。
【請求項１０】
ベースプレートから立設される支柱に請求項１ないし請求項９のいずれかに記載の水槽付照明器具が懸吊されていることを特徴とする水槽付照明器具電気スタンド。
【請求項１１】
横架梁の両端に１対の前記水槽付照明器具が固着され該横架梁の中心部が前記支柱に固定されることにより前記横架梁を介して前記水槽付照明器具が前記支柱に懸吊されていることを特徴とする請求項１０に記載の水槽付照明器具電気スタンド。
【請求項１２】
１対の前記水槽付照明器具の中間部には前記横架梁に直交して垂直かつ着脱自在に隔板が取付けられ、または前記支柱に直交して垂直かつ回動自在に隔板が取付けられ、前記隔板は前記水槽付照明器具の水槽の高さと略同一の高さを有し、前記隔板の取付け位置の高さは前記水槽付照明器具の水槽に対応する位置であることを特徴とする請求項１１に記載の水槽付照明器具電気スタンド。
【請求項１３】
垂直方向に複数の前記横架梁または複数の前記横架梁と前記隔板が前記支柱に積層され、複数の前記横架梁は平面視において相互に略等角度をもって固定されていることを特徴とする請求項１１または請求項１２に記載の水槽付照明器具電気スタンド。
【発明の詳細な説明】
【技術分野】
【０００１】
本願発明は、フロア型電気スタンドや卓上型電気スタンド、特に観賞魚を観賞、生育するに適した電気スタンドに関する。
【背景技術】
【０００２】
熱帯魚等の観賞魚を観賞し、生育させるための水槽には、照明器具が必須の装置として備えられている。一方で、フロア型電気スタンドや卓上型電気スタンドは、室内を照明することによって癒しの空間や安らぎの空間を演出する道具としても利用されている。
【０００３】
ところで、電気スタンドと水槽を組み合わせた発明が、特開平７−２９６６３０号公報に開示されている。この技術は「水槽等の生物生育器を照明可能な電気スタンドに、該育成器を加熱・保温する機能を兼備させるようにして、育成器の構造簡素化と小型化を図る。」ことを目的としている。そして、「電気スタンドは、生物の育成器を載置し得る受台と、その受台に支柱を介して支持されて受台上の育成器を照明し得る照明具とよりなり、前記受台には、該受台上に載置された育成器を加熱・保温し得るヒータと、該受台上の育成器の有無を検知してヒータの通電回路を開閉制御し得るセンサとが設けられる。」構成とすることにより、その課題解決を図っている。
【特許文献１】特開平７−２９６６３０号公報
【発明の開示】
【発明が解決しようとする課題】
【０００４】
しかしながら、特開平７−２９６６３０号公報に開示の技術では、電気スタンドは専ら生物育成器としての水槽を照明するための道具として使用されていて、電気スタンド本来の癒しの空間や安らぎの空間を演出する道具として使用されてはいない。
【０００５】
そこで、本願発明は、遊泳する熱帯魚等の観賞魚を観賞し生育させることができるとともに、癒しの空間や安らぎの空間を演出する照明器具としての電気スタンドを提供することを目的とする。
【課題を解決するための手段】
【０００６】
上記目的を達成するために、本願請求項１の発明に係る水槽付照明器具は、上下方向に開口する筒状体の中空部に下方を照らすランプが懸吊され、前記筒状体の下部開口部に観賞魚が遊泳可能な水槽の上部が着脱自在に嵌着されて該水槽は前記筒状体に懸吊されることを特徴としている。
また、本願請求項２の発明に係る水槽付照明器具は、請求項１に記載の水槽付照明器具であって、前記ランプは蛍光灯またはＬＥＤであることを特徴としている。
そして、本願請求項３の発明に係る水槽付照明器具は、請求項１または請求項２に記載の水槽付照明器具であって、前記水槽の上部の外周面が前記下部開口部の内周面に着脱自在に嵌着されることを特徴としている。
さらに、本願請求項４の発明に係る水槽付照明器具は、請求項３に記載の水槽付照明器具であり、前記下部開口部および前記水槽の上部は平面視が円形であって、前記水槽の上部の外周面は所定の大きさの複数の突起部を備え、前記下部開口部の内周面には前記突起部に対応する位置に正面視が側面に開放部を有する複数のコの字状の突条部が凸設され、前記突起部が前記突条部の開放部から挿入されることによって前記下部開口部に前記水槽の上部が着脱自在に嵌着されることを特徴としている。
また、本願請求項５の発明に係る水槽付照明器具は、請求項３に記載の水槽付照明器具であり、前記下部開口部および前記水槽の上部は平面視が円形であって、前記水槽の上部の外周面は所定の大きさの複数の突起部を備え、前記下部開口部の内周面には前記突起部に対応する位置に正面視が垂直部と水平部からなる逆Ｌ字状の溝であって該垂直部が下方に向けて開放される複数の嵌合溝が刻設され、前記突起部が前記嵌合溝に嵌合することによって前記下部開口部に前記水槽の上部が着脱自在に嵌着されることを特徴としている。
そして、本願請求項６の発明に係る水槽付照明器具は、請求項３に記載の水槽付照明器具であり、前記下部開口部および前記水槽の上部は平面視が円形であって、前記下部開口部の内周面は所定の大きさの複数の突起部を備え、前記水槽の上部の外周面には前記突起部に対応する位置に正面視が垂直部と水平部からなるＬ字状の溝であって該垂直部が上方に向けて開放される複数の嵌合溝が刻設され、前記突起部が前記嵌合溝に嵌合することによって前記下部開口部に前記水槽の上部が着脱自在に嵌着されることを特徴としている。
さらに、本願請求項７の発明に係る水槽付照明器具は、請求項３に記載の水槽付照明器具であり、前記下部開口部および前記水槽の上部は平面視が円形であって、前記下部開口部の内周面に螺刻された雌螺子に前記水槽の上部の外周面に螺刻された雄螺子が螺合することによって前記下部開口部に前記水槽の上部が着脱自在に嵌着されることを特徴としている。
また、本願請求項８の発明に係る水槽付照明器具は、請求項３に記載の水槽付照明器具であって、前記下部開口部には周方向に沿って複数本の止めボルトが略等間隔に前記下部開口部の中心に向かって螺入自在に取着され前記水槽の上部の外周面には溝部が刻設されて該止めボルトが前記下部開口部の内部に螺入してその先端が前記溝部に貫入することによって前記下部開口部に前記水槽の上部が着脱自在に嵌着されることを特徴としている。
そして、本願請求項９の発明に係る水槽付照明器具は、請求項１ないし請求項８のいずれかに記載の水槽付照明器具であって、前記観賞魚はベタ・スプレンデンスであることを特徴としている。
さらに、本願請求項１０の発明に係る水槽付照明器具電気スタンドは、ベースプレートから立設される支柱に請求項１ないし請求項９のいずれかに記載の水槽付照明器具が懸吊されていることを特徴としている。
また、本願請求項１１の発明に係る水槽付照明器具電気スタンドは、請求項１０に記載の水槽付照明器具電気スタンドであって、横架梁の両端に１対の前記水槽付照明器具が固着され該横架梁の中心部が前記支柱に固定されることにより前記横架梁を介して前記水槽付照明器具が前記支柱に懸吊されていることを特徴としている。
そして、本願請求項１２の発明に係る水槽付照明器具電気スタンドは、請求項１１に記載の水槽付照明器具電気スタンドであって、１対の前記水槽付照明器具の中間部には前記横架梁に直交して垂直かつ着脱自在に隔板が取付けられ、または前記支柱に直交して垂直かつ回動自在に隔板が取付けられ、前記隔板は前記水槽付照明器具の水槽の高さと略同一の高さを有し、前記隔板の取付け位置の高さは前記水槽付照明器具の水槽に対応する位置であることを特徴としている。
さらに、本願請求項１３の発明に係る水槽付照明器具電気スタンドは、請求項１１または請求項１２に記載の水槽付照明器具電気スタンドであって、垂直方向に複数の前記横架梁または複数の前記横架梁と前記隔板が前記支柱に積層され、複数の前記横架梁は平面視において相互に略等角度をもって固定されていることを特徴としている。
【発明の効果】
【０００７】
本願請求項１に係る発明によれば、中空部に下方を照らすランプが懸吊されている上下方向に開口する筒状体の下部開口部に水槽の上部が着脱自在に嵌着され該水槽は前記の筒状体に懸吊されている。すなわち、筒状体と水槽は一体となっていて、いわばランプのカバーが水槽を兼用した形状を呈している。そして、当該ランプは真下を照らすようになっているので、水槽中の観賞魚や水生植物を育成することに有用であるばかりでなく、ランプの光は水槽を透過して室内に溢れ出て、室内を癒しの空間や安らぎの空間に変えることができ、かつ、水槽中の観賞魚や水生植物を鑑賞することができる。また、当該ランプは筒状体に懸吊されていて当該ランプの周囲は上下に開放された空間となっているから、この空間を通して水槽内の観賞魚に給餌することができる。
そして、水槽は円筒状体に懸吊される程度の大きさであるから、持ち運びも容易にでき、水槽付照明器具自体を単独で机上、テーブル上あるいは直接、床に置くこともできる。
【０００８】
本願請求項２に係る発明では、ランプを蛍光灯またはＬＥＤとしている。もちろんランプに白熱灯を使用することも可能であるが、長時間の点灯により水槽内部の水温が必要以上に上昇することもあり得る。この点、ランプを蛍光灯またはＬＥＤとした場合には、水槽内部の水温の上昇を防ぐことができ、さらに、ＬＥＤの場合には、その寿命も４万時間といわれていて、ランプ交換に関してはメンテナンスフリーとなる。
【０００９】
本願請求項３に係る発明では、水槽の上部の外周面が筒状体の下部開口部の内周面に嵌着されていて、水槽の上部は当該下部開口部に覆われた状態となるため、塵や埃等が嵌着部から水槽内に入り込むことを防ぐことができる。
【００１０】
また、筒状体の下部開口部および水槽の上部の嵌着手段として、
（１）本願請求項４に係る発明では、水槽の外周面に凸設された突起部が、筒状体の下部開口部の内周面に凸設されたコの字状の突条部内に嵌合することにより、筒状体に水槽が嵌着される手段を採り、
（２）本願請求項５に係る発明では、水槽の外周面に凸設された突起部が、筒状体の下部開口部の内周面に刻設された逆Ｌ字状の嵌合溝に嵌合することにより、筒状体に水槽が嵌着される手段を採り、
（３）本願請求項６に係る発明では、筒状体の下部開口部の内周面に凸設された突起部が、水槽の外周面に刻設されたＬ字状の嵌合溝に嵌合することにより、筒状体に水槽が嵌着される手段を採り、
（４）本願請求項７に係る発明では、筒状体の下部開口部の内周面および水槽の外周面が、螺合することによって、筒状体に水槽が嵌着される手段を採り、
（５）本願請求項８に係る発明では、筒状体の下部開口部周りに配設された複数の止めボルトによって、筒状体に水槽が嵌着される手段を採っている。
（１）ないし（３）の嵌着手段では、水槽を筒状体の下部開口部に差し込んだ後に水槽を回動させることより水槽は当該下部開口部に固定され、（４）の嵌着手段では、筒状体に対し水槽を回動させることにより水槽は当該下部開口部に固定され、（５）の嵌着手段では、水槽を筒状体の下部開口部に差し込んだ後に止めボルトを螺入させることにより水槽は当該下部開口部に固定されるので、いずれの嵌着手段によっても、簡単に筒状体に水槽を着脱することができる。また、（１）ないし（４）の嵌着手段では、筒状体に対し水槽を回動させる必要があることから、筒状体の下部開口部および水槽の上部は平面視を円形とする必要があるが、（５）の嵌着手段では、このような制限は不要である。なお、後述する実施例では（１）の嵌着手段に拠っている。
【００１１】
また、本願請求項９に係る発明によれば、水槽内を遊泳する観賞魚をベタ・スプレンデンスとしている。このベタ・スプレンデンスは溶存酸素の少ない水中でも生存することができる熱帯魚であり、青や赤といった原色を身に纏い、よく広がる各ヒレをたなびかせて遊泳するため、まさに、水槽付照明器具に適した観賞魚である。
【００１２】
本願請求項１０に係る発明の水槽付照明器具電気スタンドは、本願請求項１ないし請求項８のいずれかに記載の水槽付照明器具を懸吊している。前述した水槽付照明器具は、直に卓上に置いても良く、あるいは天井から吊り下げても良いことは勿論であるが、電気スタンドから懸吊することにより、任意の場所の所望の位置に簡単に設置することができる。
【００１３】
本願請求項１１に係る発明は、横架梁の両端に前述した水槽付照明器具が固着されていて当該横架梁の中心部が電気スタンドの支柱に固定されている。もちろん、基端部を電気スタンドの支柱に固定した片持ち梁の先端に水槽付照明器具を懸吊しても良いが、横架梁の両端に１対の水槽付照明器具を懸吊させることにより、力学的なバランスがよくなり、支柱の部材の曲げ剛性を低く抑えることができる。
【００１４】
本願請求項１２に係る発明では、１対の水槽付照明器具の中間部には本願請求項１１の発明に係る横架梁に直交して垂直かつ着脱自在に隔板が取付けられ、または電気スタンドの支柱に直交して垂直かつ回動自在に隔板が取付けられている。そのため、当該隔板によって、または当該隔板の回動位置によって、横架梁の両端に懸吊された１対の水槽付照明器具は、当該隔板に遮られて相互に見通すことが不可能となる。熱帯魚であるベタ・スプレンデンスは気性の激しい魚であり、雄同士が出会うと、エラぶたを広げてお互いに威嚇してストレスとなることから、当該隔板により水槽中の雄のベタ・スプレンデンスをお互いに意識することなく、生育に有害なストレスを溜めることがなくなる。また、当該隔板は着脱自在あるいは回動自在となっているため、ときには当該隔板を外すことにより、あるいは、当該隔板を回動させて横架梁の桁行方向と同一にすることにより、横架梁の両端に懸吊された１対の水槽付照明器具は、相互に見通すことが可能となって、エラぶたを広げて遊泳するベタ・スプレンデンスを鑑賞することができる。
【００１５】
さらに、本願請求項１３に係る発明では、本願請求項１１の発明に係る横架梁を複数組積層状に支柱に取着している。したがって、横架梁の本数×２個の水槽付照明器具が懸吊されているため、この個数の水槽付照明器具に対応した光量を得ることができる。すなわち、２個の水槽付照明器具が懸吊された横架梁の本数を適宜増減させることにより、水槽付照明器具電気スタンドが設置される空間に最適の照明具を得ることができる。また、複数の横架梁は平面視において相互に略等角度をもって固定されていて前後左右にバランスが取れるため、水槽付照明器具電気スタンドは転倒しにくくなる。
なお、横架梁の本数には制限はないが、水槽付照明器具の水槽には水が貯留されることから、ある程度の重量を有しているため、概ね２本程度を積層させることがより好ましい。この場合に、２本の横架梁は平面視において相互に略等角度をもって固定されることから、互いに直交することになる。後述する実施例１では、横架梁の本数を１とし、実施例２では、横架梁の本数を２としている。
【発明を実施するための最良の形態】
【００１６】
以下、本願発明を実施するための最良の形態に係る実施例について、図１ないし図４に基づいて説明する。なお、図１は、実施例１に係る水槽付照明器具電気スタンドの外観斜視図、図２は、実施例２に係る水槽付照明器具電気スタンドの外観斜視図、図３は、実施例１および実施例２に使用される水槽付照明器具の部分断面詳細図、図４は、水槽付照明器具を構成する筒状体と水槽の嵌合部の斜視図である。
【００１７】
図１ないし図４において、符号１は実施例１に係る水槽付照明器具電気スタンド、符号２は実施例２に係る水槽付照明器具電気スタンド、符号１０は水槽付照明器具、符号２０は筒状体、符号２２は筒状体本体、符号２４はランプ（ＬＥＤ）、符号２６はランプ懸吊板、符号２８はランプ止め螺子、符号３０は電気コード、符号３２はリング、符号３４はパッキン、符号３６は突条部、符号４０は水槽、符号４６は突起部、符号５０は飼育用水、符号５２はベタ・スプレンデンス（熱帯魚）、符号６２はベースプレート、符号６４は支柱、符号６６は横架梁、符号７４は鞘管、符号７６は中間鞘管である。
【００１８】
まず、実施例１および実施例２に使用される水槽付照明器具１０について、主として図１および図２を基に説明する。この水槽付照明器具１０は、大別して筒状体２０と水槽４０とから構成されている。
【００１９】
筒状体２０は円筒状の筒状体本体２２、筒状体本体２２の上部に架設されたランプ懸吊板２６、ランプ懸吊板２６から懸吊されて真下を照らすＬＥＤのランプ２４、ランプ２４の下方に位置するリング３２、およびリング３２の下面に接して固着されている正面視がＬ字状の突条部３６から構成されている。筒状体本体２２は直径が略１００ｍｍで高さが略１１０ｍｍのアルミニウム製の円筒であり、この円筒の上部にはアルミニウム製の帯状のランプ懸吊板２６が固着されている。なお、筒状体２０は主にアルミニウムを使用しているが、他の金属であっても、あるいは合成樹脂であってもよいことは勿論である。
【００２０】
ＬＥＤのランプ２４は照らす方向が真下になるようにランプ懸吊板２６に懸吊されていて、ランプ２４のソケット部分がランプ懸吊板２６にランプ止め螺子２８、２８により固着されている。実施例においては、ランプ２４の電球にＬＥＤが使用されているが、蛍光灯であっても良いことは勿論である。
そして、ランプ２４に送電する電気コード３０は筒状体本体２２に穿設された貫通孔を貫通し、さらに、後述する横架梁６６の内部および支柱６４の内部を貫通し、図示外のスイッチを経て室内のコンセント（図示外）に接続される。
【００２１】
筒状体本体２２の下部開口部近傍には、断面が矩形のリング３２が筒状体本体２２の内周面に沿って固着されている。そして、垂直部と水平部からなるＬ字状の突条部３６の当該垂直部の上端をリング３２の下面に接するようにして筒状体本体２２の内周面に固着され、リング３２とＬ字状の突条部４８が「コ」の字を形成するようになっていて、図４に示すようにＬ字状の突条部３６の右側部が開放部を形成し、いわば、逆コの字状を呈している。そして、実施例においては、４個の突条部３６が筒状体本体２２の内周面に等間隔に配設されている。
さらに、リング３２の下面全域には断面がＬ字状の合成樹脂性のパッキン３４が固着されている。もちろん、パッキン３４は合成ゴムであってもよい。
【００２２】
水槽４０は円筒状の容器であって、直径が略１００ｍｍで高さが略１2０ｍｍ（？？？数値をご確認下さい。）の透明のガラス製である。そして、水槽４０の上部は、直径が狭まって上方に向けて開口し、外観上、直径が狭まっていることにより水槽本体４２の上部には肩部が形成されている。直径が狭まった水槽４０の上部の外周面には、前記の突条部３６に対応した位置に４個の横一文字状の突起部４６が凸設されていて、この４個の突起部４６がそれぞれ前述した４個の突条部３６の右側部から挿入されることによって、水槽４０が筒状体２０の下部開口部に嵌合するようになっている。
【００２３】
つぎに、水槽付照明器具１０の作用について説明する。
【００２４】
水槽４０の略半分まで飼育用水５０を満たし、ベタ・スプレンデンス５２を入れ、さらに必要に応じて水草等を入れた水槽４０を両手で把持し、筒状体２０の隣接する突条部３６、３６の間に突起部４６が位置するようにし、水槽４０を筒状体２０の下部開口部に挿入して、突起部４６の上面をリング３２の下面、すなわち、パッキン３４の表面に当接させる。その後、水槽４０を右に回転させることにより、突起部４６は突条部３６の右側部から挿入され、水槽４０は筒状体２０に嵌着される。このようにして水槽付照明器具１０が組み立てられるが、パッキン３４の働きにより突起部４６の上面と下面には隙間がなくなり、水槽４０が筒状体２０に対してガタつくことはない。
そして、ランプ２４のスイッチ（図示外）をＯＮにすることにより、ランプ２４が点灯し水槽４０内で遊泳するベタ・スプレンデンス５２を照らし出す。なお、実施例における水槽４０の容量は略８００ｃｃである。また、実施例においては、水槽１０の形状を円筒状の容器としているが、多角柱状としても良く、さらには、球体状としても良い。そして、筒状体２０の形状についても、円筒形に限ることはなく、多角柱としても良いことは勿論である。
【００２５】
前述したように、ランプ２４は筒状体本体２２に懸吊されていて、ランプ２４の周囲は上下に開放された空間となっているから、この空間を通して水槽付照明器具１０内の空気と外気との流通を可能にし、水槽１０内の飼育用水５０の水温が過度に上昇するのを防止するとともに、飼育用水５０の表面が常に新鮮な外気と接触できるようになっている。また、水槽１０内のベタ・スプレンデンス５２の給餌は、この空間を利用しておこなうことができるとともに、飼育用水５０等の補給もこの空間を利用しておこなうことができる。
【００２６】
水槽１０の清掃は、筒状体２０から水槽１０を取り外しておこなわれるが、水槽１０の取り外しは、段落番号（００２４）に記載の組み立て手順と逆の手順によりおこなうことができる。すなわち、水槽１０を両手で把持し、筒状体２０に対して水槽１０を左に回転させると、筒状体２０の下部開口部に凸設された突条部３６と突起部４６との嵌合状態が解消されて、水槽１０を筒状体２０から離脱させることができる。また、ランプ２４にはＬＥＤを使用しているため、その交換は不要であるが、ランプ２４は筒状体本体２２に固着されたランプ懸吊板２６に懸吊され、ランプ２４のソケット部分がランプ懸吊板２６にランプ止め螺子２８、２８により螺着されているので、ランプ止め螺子２８、２８を外すことにより、簡単に筒状体２０からランプ２４を取り外すことができる。
【００２７】
つぎに、実施例１に係る水槽付照明器具電気スタンド１について説明する。水槽付照明器具電気スタンド１は、ベースプレート６２、ベースプレート６２から立設される支柱６４、その両端に水槽付照明器具１０、１０を固着した横架梁６６から構成されている。
【００２８】
ベースプレート６２はウエイトを兼ねた円盤状の部材であり、支柱６４はベースプレート６２の中心部から立設されている中空の管で構成されている。支柱６４の上部は二重管となっていて外管よりも内管が上方まで延伸していて、外管と内管とにより外管の天端部には段差部が形成されている。中空の鞘管７４は、支柱６４の上部の内管に鞘管７４が挿入され前記の段差部に載置された状態で支柱６４に対し回動自在に取着されている。そして、この上部には、横架梁６６がその中心を載置された状態で支柱６４の上部の内管に固着されていて、いわば、水槽付照明器具１０、１０は横架梁６６を介して支柱６４に懸吊された状態となっている。
【００２９】
なお、上記実施の形態においては、支柱６４に懸吊された水槽付照明器具１０の水槽４０および支柱６４には、互いに見通しを妨げるものは配置しなかったが、例えば、横架梁６６の両端に懸吊された１対の水槽付照明器具１０、１０は、互いに遮られて相互に見通すことが不可能となるように、羽根部材（図示外）に隔板（図示外）を互いにその高さおよびその取り付けられた位置のレベルが略同一にまた、横架梁６６の桁行方向と隔板（図示外）の突出方向を平面視において直交させるように設けてもよく、また、横架梁６６の桁行方向と隔板（図示外）の突出方向を平面視において同一とすることにより、横架梁６６の両端に懸吊された１対の水槽付照明器具１０、１０は、相互に見通すことが可能となるようにしても良い。このようにすることにより、前述したように、ベタ・スプレンデンス５２は気性の激しい魚であり、雄同士が出会うと、エラぶたを広げてお互いに威嚇してストレスとなることから、隔板（図示外）の突出方向を横架梁６６の桁行方向に直交させることにより、水槽４０内のベタ・スプレンデンス５２、５２をお互いに意識させないようにすることができる。また、隔板（図示外）２の突出方向を横架梁６６の桁行方向に同一とすることにより、ベタ・スプレンデンス５２、５２をお互いに意識させて、エラぶたを広げて遊泳するベタ・スプレンデンス５２を鑑賞することができる。
なお、水槽付照明器具１０の構成および作用は前述したので、その説明を省略する。
【００３０】
つぎに、実施例２に係る水槽付照明器具電気スタンド２について説明する。水槽付照明器具電気スタンド２は、前述した水槽付照明器具電気スタンド１と略同様の構成で、その作用も略同様であるので、水槽付照明器具電気スタンド２については、主として、水槽付照明器具電気スタンド１と異なる構成および作用について説明する。
【００３１】
水槽付照明器具電気スタンド２はベースプレート６２、ベースプレート６２から立設される支柱６４、その両端に水槽付照明器具１０、１０を固着した横架梁６６、６６および中間鞘管７６から構成される。
【００３２】
支柱６４はベースプレート６２の中心部から立設され、支柱６４の上部は二重管となっていて外管よりも内管が上方まで延伸していて、外管と内管とにより外管の天端部に段差部が形成される点は水槽付照明器具電気スタンド１と同様である。水槽付照明器具電気スタンド１と同様に構成された支柱６４の上部には横架梁６６がその中心を載置された状態で支柱６４の上部の内管に固着され、さらに、横架梁６６の上部には中間鞘管７６が支柱６４の上部の内管に固着されている。中間鞘管７６は中空の管であり、支柱６４の上部の内管に密着して固着される外管であって、中間鞘管７６と支柱６４の内管により段差部が形成される。
【００３３】
上部に位置する横架梁６６と下部に位置する横架梁６６とは、その桁行方向が互いに直交して固着されていて、横架梁６６、６６の両端に固着された４個の水槽付照明器具１０、１０、・・は、相互に等間隔をもって支柱６４に懸吊されている。また、支柱６４に取り付けられた水槽付照明器具１０の水槽４０は、水槽付照明器具電気スタンド１と同様に互いにその高さおよびその取り付けられた位置のレベルが略同一となっている。
【００３４】
水槽付照明器具電気スタンド２は、水槽付照明器具電気スタンド１と異なり、４個の水槽付照明器具１０、１０、・・が懸吊されているため、水槽付照明器具電気スタンド１よりもさらに大きな空間を照明するに適している。また、４個の水槽付照明器具１０、１０、・・は、相互に等間隔をもって支柱６４に懸吊されているので、室内のどの位置からもほぼ同じように水槽４０内を遊泳するベタ・スプレンデンス５２を鑑賞することができる。
【図面の簡単な説明】
【００３５】
【図１】図１は、実施例１に係る水槽付照明器具電気スタンドの外観斜視図である。
【図２】図２は、実施例２に係る水槽付照明器具電気スタンドの外観斜視図である。
【図３】図３は、実施例１および実施例２に使用される水槽付照明器具の部分断面詳細図である。
【図４】図４は、水槽付照明器具を構成する筒状体と水槽の嵌合部の斜視図である。
【符号の説明】
【００３６】
１  実施例１に係る水槽付照明器具電気スタンド
２  実施例２に係る水槽付照明器具電気スタンド
１０  水槽付照明器具
２０  筒状体
２２  筒状体本体
２４  ランプ
４０  水槽
５２  ベタ・スプレンデンス
６２  ベースプレート
６４  支柱
６６  横架梁
【図１】
2007095404.tif 000003
【図２】
2007095404.tif 000004
【図３】
2007095404.tif 000005
【図４】
2007095404.tif 000006
【手続補正書】
【提出日】平成17年9月28日(2005.9.28)
【手続補正１】
【補正対象書類名】明細書
【補正対象項目名】００２２
【補正方法】変更
【補正の内容】
【００２２】
水槽４０は円筒状の容器であって、直径が略１００ｍｍで高さが略１２０ｍｍの透明のガラス製である。そして、水槽４０の上部は、直径が狭まって上方に向けて開口し、外観上、直径が狭まっていることにより水槽本体４２の上部には肩部が形成されている。直径が狭まった水槽４０の上部の外周面には、前記の突条部３６に対応した位置に４個の横一文字状の突起部４６が凸設されていて、この４個の突起部４６がそれぞれ前述した４個の突条部３６の右側部から挿入されることによって、水槽４０が筒状体２０の下部開口部に嵌合するようになっている。